(57)【要約】【課題】厳冬の山岳地帯のような厳しい環境下で、希少猛禽類のような監視対象を継続的に監視し得る新規な監視カメラシステム及びこれに適した電源供給装置を提供すること【解決手段】この監視カメラシステム(1)は、希少猛禽類のような監視対象(10)を撮影するカメラユニット(12)と、電源供給装置(18,20,24,26)と、前記電源供給装置から電源供給を受け、前記カメラユニットからの映像データを記録し、所望により伝送するシーンレコーダ(22)とを備え、前記電源装置は、複数枚のソーラーパネルを有するソーラーパネル群(18,20)と、前記ソーラーパネル群に接続され、少なくとも2種以上の容量のバッテリを含む複数個のバッテリを有するバッテリユニット(24,26)とを有している。【選択図】図１
2008103778.tif 000002
【特許請求の範囲】
【請求項１】
複数枚のソーラーパネルを有するソーラーパネル群と、
前記ソーラーパネル群に接続され、少なくとも2種以上の容量のバッテリを含む複数個のバッテリを有するバッテリユニットとを備えた電源供給装置。
【請求項２】
請求項１に記載の電源供給装置において、
前記バッテリユニットは、複数個のバッテリを有し、
少なくとも一部の前記バッテリは、他のバッテリと比較して、異なる枚数のソーラーパネルが接続されている、電源供給装置。
【請求項３】
請求項１に記載の電源供給装置において、
前記ソーラーパネル群は、少なくとも2種以上の容量のソーラーパネルを有する、電源供給装置。
【請求項４】
請求項１に記載の電源供給装置において、
各々の前記バッテリーは、充放電コントローラを有し、バッテリの過充電又は過放電を防止している、電源供給装置。
【請求項５】
請求項１に記載の電源供給装置において、
前記ソーラーパネル群とこれに接続されたバッテリユニットとの組を複数系統有する電源供給装置。
【請求項６】
監視対象を撮影するカメラユニットと、
請求項１乃至５のいずれかに記載の電源供給装置と、
前記電源供給装置から電源供給を受け、前記カメラユニットからの映像データを記録するシーンレコーダとを備えた監視カメラシステム。
【請求項７】
請求項６に記載の監視カメラシステムにおいて、
前記カメラユニットも、前記電源供給装置から電源供給を受けている、監視カメラシステム。
【請求項８】
請求項６に記載の監視カメラシステムにおいて、
前記シーンレコーダは、タイマ機能を有するＣＰＵ及びタイマを有し、監視対象を日の出から日の入りまで撮影する、監視カメラシステム。
【請求項９】
請求項６に記載の監視カメラシステムにおいて、更に、伝送装置を備え、
前記伝送装置は、前記シーンレコーダから監視カメラシステムの作動状況及び映像データを、回線を介して受信装置へ送信する、監視カメラシステム。
【請求項１０】
請求項６に記載の監視カメラシステムにおいて、
前記監視対象は、希少猛禽類を含む陸生動物である、監視カメラシステム。
【請求項１１】
請求項９に記載の監視カメラシステムにおいて、
前記カメラユニットは、前記監視対象の比較的近距離に設置され、
前記電源供給装置、前記シーンレコーダ及び伝送装置は、前記監視対象の比較的遠距離に設置されている、監視カメラシステム。
【請求項１２】
請求項６に記載の監視カメラシステムにおいて、該監視カメラシステムは、環境アセスメントに使用される、監視カメラシステム。
【発明の詳細な説明】
【技術分野】
【０００１】
本発明は、監視カメラシステムに関し、更に具体的には、遠隔地に設置された監視カメラ及びこの監視カメラからの画像を記録し、必要に応じて利用者へ伝送するソーラー電源利用のデジタル画像伝送システムを備えた監視カメラシステムに関する。
【背景技術】
【０００２】
例えば、電力会社が、ダム、発電所、道路等を建設する場合、ダム等の建設による環境影響評価（環境アセスメント）を行うことが義務付けられている。環境アセスメントの一分野の自然環境調査では、ダム等の建設行為が陸生動物・植物に与える影響が調査され、特に、希少猛禽類（イヌワシ、クマタカ、オオタカ等）の生息調査に関して充分な調査が行われる。この生息調査は、希少猛禽類の営巣（繁殖状況）の監視と行動圏の調査が主体となっている。営巣の監視によって、その地に生息する希少猛禽類の種類、個体数、餌の種類・量等が調査される。そして、ダム等が建設された後の環境下でも、希少猛禽類の生息に必要な餌の種類及び量が確保され、希少猛禽類の生態系に影響を与えないことを確認しなければならない。
【０００３】
一般に、このような動物の生息に対する継続的な監視は、遠隔操作のカメラシステムを利用して行われている。そして、希少猛禽類の営巣監視の場合、監視カメラシステムは、一般の監視カメラシステムとは異なる特殊な条件、例えば、ダム等の建設される山中まで容易に運搬可能であること、撮影カメラが希少猛禽類に対してストレスを与えないこと、特に冬季の厳寒な気象条件下においても安定して撮影が継続できること等が必要となる。
【０００４】
しかし、本発明者等の調査した範囲では、環境アセスメントの際に希少動物の生態を継続的に監視するに適した遠隔操作のカメラシステムを開示した特許文献又は非特許文献は存在しない。
【発明の開示】
【発明が解決しようとする課題】
【０００５】
このように監視カメラシステムには、一般の監視カメラシステムとは異なる特殊な条件が存在する。
【課題を解決するための手段】
【０００６】
そこで、本発明は、厳しい環境下で、特定の監視対象を継続的に監視し得る新規な監視カメラシステムを提供することを目的とする。
【０００７】
更に、本発明は、上記監視カメラシステムに適した電源供給装置を提供することを目的とする。
【０００８】
上記目的に鑑みて、本発明に係る電源供給装置は、複数枚のソーラーパネルを有するソーラーパネル群と、前記ソーラーパネル群に接続され、少なくとも2種以上の容量のバッテリを含む複数個のバッテリを有するバッテリユニットとを備えた電源供給装置である。
【０００９】
更に、上記電源供給装置では、前記バッテリユニットは、複数個のバッテリを有し、少なくとも一部の前記バッテリは、他のバッテリと比較して、異なる枚数のソーラーパネルを接続するようにしてもよい。更に、上記電源供給装置では、前記ソーラーパネル群は、少なくとも2種以上の容量のソーラーパネルを有するようにしてもよい。更に、上記電源供給装置では、各々の前記バッテリーは、充放電コントローラを有し、バッテリの過充電又は過放電を防止するようにしてもよい。前記ソーラーパネル群とこれに接続されたバッテリユニットとの組を複数系統有するようにしてもよい。
【００１０】
更に、本発明に係る監視カメラシステムは、監視対象を撮影するカメラユニットと、上記のいずれかに記載の電源供給装置と、前記電源供給装置から電源供給を受け、前記カメラユニットからの映像データを記録するシーンレコーダとを備えている。
【００１１】
更に、上記監視カメラシステムでは、前記カメラユニットも、前記電源供給装置から電源供給を受けるようにしてもよい。更に、上記監視カメラシステムでは、前記シーンレコーダは、タイマ機能を有するＣＰＵ及びタイマを有し、監視対象を日の出から日の入りまで撮影するようにしてもよい。更に、上記監視カメラシステムでは、更に、伝送装置を備え、前記伝送装置は、前記シーンレコーダから監視カメラシステムの作動状況及び映像データを、回線を介して受信装置へ送信してもよい。更に、上記監視カメラシステムでは、前記監視対象は、希少猛禽類を含む陸生動物としてもよい。更に、上記監視カメラシステムでは、前記カメラユニットは、前記監視対象の比較的近距離に設置され、前記電源供給装置、前記シーンレコーダ及び伝送装置は、前記監視対象の比較的遠距離に設置されているようにしてもよい。更に、上記監視カメラシステムでは、該監視カメラシステムは、環境アセスメントに使用されるようにしてもよい。
【発明の効果】
【００１２】
本発明によれば、厳しい環境下で、特定の監視対象を継続的に監視し得る新規な監視カメラシステムを提供することができる。
【００１３】
更に、本発明によれば、上記監視カメラシステムに適した電源供給装置を提供することができる。
【発明を実施するための最良の形態】
【００１４】
以下、本発明に係る監視カメラシステムの実施形態に関して、添付の図面を参照しながら詳細に説明する。なお、図中、同じ要素に対しては同じ符号を付して、重複した説明を省略する。
【００１５】
［監視カメラシステム］
(構成)
図１は、監視カメラシステムのイメージを説明する図である。この監視カメラシステム１は、基本的には、希少猛禽類１０を撮影するカメラユニット１２と、電源並びに伝送及びシーンレコーダ・ユニット１６と、回線２８と、パーソナルコンピュータ（以下、単に「ＰＣ」という。）３０とを備えている。
(特徴)
この監視カメラシステム１は、厳冬の山中のような厳しい環境の中で、希少猛禽類１０のような特定の監視対象を継続的に監視し得るシステムであるため、次のようなシステムとなっている。
【００１６】
カメラユニット１２は、希少猛禽類１０の営巣の状況を正確に撮影できるように、希少猛禽類１０に近接した距離（例えば、約10ｍ）の地点に設置されている。カメラユニット１２は、希少猛禽類１０に対して、出来るだけストレスを与えないようにするため、一旦設置したら、電池交換等の保守作業が要らないユニットである。即ち、カメラユニット１２の電源は、更に遠隔地から供給するようにして、電源のトラブルの際にも希少猛禽類１０に近づかないで対応できる。更に、カメラユニット１２は、希少猛禽類１０の巣の近くに素早く固定する必要があるため、例えば、自然木，鉄塔等の高所に容易に短時間で設置できるユニットである。
【００１７】
電源並びに伝送及びシーンレコーダ・ユニット１６は、希少猛禽類１０及びカメラユニット１２から比較的遠方（例えば、約100ｍ）の地点に設置されている。例えば、希少猛禽類１０は、期間が短い種でも孵化から雛が育つまで40日以上必要である。従って、電源並びに伝送及びシーンレコーダ・ユニット１６の電源部は、比較的長期間（例えば、40日以上）の間、厳しい環境下で、カメラユニット１２及び伝送及びシーンレコーダ・ユニット２２に対して安定供給できる電源である。更に、電源並びに伝送及びシーンレコーダ・ユニット１６は、必要に応じて、回線２８を介して、希少猛禽類１０の映像をＰＣ３０に送信できるユニットである。
【００１８】
なお、この監視カメラシステム１は、単に、希少猛禽類１０の映像を記録するだけなら、電源並びに伝送及びシーンレコーダ・ユニット１６の伝送機能、回線２８及びＰＣ３０の部分は不要である。この場合、映像記録用のための監視カメラシステム１は、カメラユニット１２と、電源並びにシーンレコーダ・ユニット１５とを備えたシステムとなる。
（各構成要素）
次に、監視カメラシステム１の各要素に関して説明する。
【００１９】
希少猛禽類１０は、例示であって、監視カメラで監視する必要のある特定の対象、例えば、動物・植物等の任意のものでよい。
【００２０】
カメラユニット１２は、設置・収納ケースである本体部とカメラ部とを有する。カメラユニット１２の本体部は、例えば、猛禽類１０の近傍にある自然木又は鉄塔等の高所に設置されるため、容易に設置可能であって、撮影方向を三次元方向に微調整が可能なケースとなっている。
【００２１】
カメラユニット１２のカメラ部は、好ましくは、監視カメラとして開発されものであり、例えば40万画素ＣＣＤカメラからなり、映像データの記録・伝送には、例えば静止画像圧縮方式ＪＰＥＧを利用している。カメラ部は、電源並びに伝送及びシーンレコーダ・ユニット１６と１本のカメラケーブル１４で接続されることにより、カメラユニット１２から電源並びに伝送及びシーンレコーダ・ユニット１６に対して映像信号が伝送され、反対に、電源並びに伝送及びシーンレコーダ・ユニット１６からカメラユニット１２に対してカメラ用電力が送られる。即ち、カメラユニット１２には、電源確保の必要がない。更に、カメラユニット１２のカメラ部は、好ましくは、画ゆれ補正機能を有し、一定範囲の振動等に対して対応でき、解像度の高い映像が得られるカメラである。このようなカメラは、市場で商業的に入手可能であり、例えば、今回試作した監視カメラシステムでは松下電器産業株式会社製のＶＰ多重カメラの型番ＷＶ−ＣＰ１８０を利用している。
【００２２】
カメラケーブル１４は、カメラユニット１２と電源並びに伝送及びシーンレコーダ・ユニット１６の間を接続するケーブルであり、例えば、最長300ｍのケーブルである。今回試作した監視カメラシステムでは、カメラケーブル１４として約100ｍのケーブルを使用している。このカメラケーブル１４を介して、カメラユニット１２から映像信号が伝送され、且つカメラユニット１２に対してカメラ電源が送られる。
【００２３】
電源並びに伝送及びシーンレコーダ・ユニット１６は、電源部と、映像データ記録部とを備え、更に所望により、映像データ伝送部を備えている。
【００２４】
電源部として、第１ソーラーパネル群１８とこれに接続された第１バッテリユニット２４と、第２ソーラーパネル群２０とこれに接続された第２バッテリユニット２６とを有している。第１ソーラーパネル群１８及び第２ソーラーパネル群２０は、各々、複数枚のソーラーパネルをもっている。各々のソーラーパネルは、同じ発電容量でも、或いは異なる発電容量であってもよい。なお、今回試作した監視カメラシステムでは、ソーラーパネル群１８，２０は、各々が複数枚の同じ発電容量のソーラーパネルとしている。このようなソーラーパネルは、市場で商業的に入手可能であり、例えば、今回試作した監視カメラシステムではシーメンスソーラー社製の型番ＳＭ５５又は長野県所在の株式会社ケー・アイ・エス製の型番ＧＴ１３６Ｍを利用している。第１バッテリユニット２４及び第２バッテリユニット２６は、いずれも寒冷地仕様（カタログ仕様で−40°Ｃ）の鉛バッテリを採用している。（このような鉛バッテリは、市場で商業的に入手可能であり、例えば、今回試作した監視カメラシステムではオプティマD1000Sを利用している。）
電源並びに伝送及びシーンレコーダ・ユニット１６の記録部は、シーンレコーダを有し、映像データの記録のためＨＤＤ（図示せず。）を有している。このようなシーンレコーダは、市場で商業的に入手可能であり、例えば、今回試作した監視カメラシステムでは米国カリフォルニア州所在のAgison社製の型番ＤＶ６０１０Ｒを利用している。（日本では、東京都中央区所在の株式会社樫村より入手可能である。）
電源並びに伝送及びシーンレコーダ・ユニット１６の伝送部は、一定期間連続的に又は断続的に撮影された静止画像を、回線２８を介して、例えば、ＰＣ３０のような画像受信装置に対して送信することができる伝送部である。この伝送部は、例えば、携帯電話システムの画像伝送システムを利用できる。このような伝送部は、市場で商業的に入手可能であり、例えば、今回試作した監視カメラシステムでは、Agison社製の静止画伝送部Transmage Iを利用している。
（使用方法）
この監視カメラシステム１は、希少猛禽類１０の近傍にカメラユニット１２を設置し、カメラユニット１２にカメラケーブル１４の一端を接続し、遠方（約100ｍ）まで延ばして、他端は伝送及びシーンレコーダ・ユニット２２に接続する。カメラユニット１２からの映像データは、伝送及びシーンレコーダ・ユニット２２の記録部にあるＨＤＤで記録される。所望により、カメラユニット１２からの映像データは、伝送及びシーンレコーダ・ユニット２２の伝送部から、回線２８を介してＰＣ３０に伝送される。カメラユニット１２及び伝送及びシーンレコーダ・ユニット２２に対しては、第１及び第２バッテリユニット２４，２６から電力供給される。第１及び第２バッテリユニット２４，２６は、第１及び第２ソーラーパネル群１８，２０から、夫々充電される。
【００２５】
鳥類に属する希少猛禽類は１０は、夜は活動しない種も多い。従って、この監視カメラシステム１は、タイマ(図示せず。)を利用して、夜明けに電源を入れ夕方に電源を切って、一日当たり10〜12時間程度を監視時間としている。しかし、毎日10〜12時間に亘り30枚／秒の割合の動画像を撮影して記録することは、電源容量、画像記録媒体の容量、伝送容量等からの制約により困難である。そのため、例えば、3枚／秒の割合の静止画像を撮影したり、監視時間の所々に休憩時間（監視停止時間）を入れて、必要な電源容量、必要な画像記録媒体の容量を節約している。これらは、通常、環境アセスメントを実行する委員会で決定される。
【００２６】
［監視カメラシステムのブロック図］
図２は、図1の監視カメラシステム１の一具体例のブロック図である。図１に図示した要素との関連では、図２では、カメラユニット１２、カメラケーブル１４、伝送及びシーンレコーダ・ユニット２２、第１バッテリユニット２４、第２バッテリユニット２６、第１ソーラーパネル群１８、及び第２ソーラーパネル群２０が表示されている。
【００２７】
図２の監視カメラシステム１は、最低気温-15度Ｃの環境で正常に動作することを目指すシステムである。図２の監視カメラシステム１は、大別すると、第１ソーラーパネル群１８と、これに接続した第１バッテリユニット２４と、第２ソーラーパネル群２０と、これに接続した第２バッテリユニット２６と、第１バッテリユニット２４及び第２バッテリユニット２６からのＤＣ出力を受ける伝送及びシーンレコーダ・ユニット２２と、これに対して映像データを送信するカメラユニット１２とを備えている。
【００２８】
監視カメラシステム１では、カメラユニット１２が撮影した映像データを、伝送及びシーンレコーダ・ユニット２２が記録し、所望により利用者の受信装置（例えば、図1のＰＣ３０）に対して伝送する。
【００２９】
第１ソーラーパネル群１８及び第２ソーラーパネル群２０が、第１バッテリユニット２４及び第２バッテリユニット２６に対して夫々接続され、ソーラーパネル群で発電された電力でバッテリユニットを充電する。各バッテリーは、シーンレコーダ・ユニット２２に対して給電する。更に、カメラユニット１２に対しては、伝送及びシーンレコーダ・ユニット２２から給電される。
【００３０】
各要素に関して詳細に説明する。第１ソーラーパネル群１８及び第２ソーラーパネル群２０は、5枚のソーラーパネル１８-1〜１８-5及び2枚のソーラーパネル２０-1〜２０-2を夫々有している。各ソーラーパネルは、複数枚の太陽電池セルを配列したモジュールとなっており、例えば、公称最大出力55Ｗ、公称最大出力動作電流3.15Ａである。
【００３１】
第１バッテリユニット２４及び第２バッテリユニット２６は、3個のバッテリＡ〜Ｃ及び2個のバッテリＤ〜Ｅを夫々有している。典型的には、各バッテリは、鉛蓄電池であり、バッテリＣは容量12Ａｈ（アンペア時）であり、その他のバッテリＡ，Ｂ，Ｄ，Ｅは、各々、容量55Ａｈである。鉛蓄電池を採用した理由は、他の種類のバッテリと比較して、種々の放電深度の放電を繰り返しても充放電サイクル寿命が長いことが高いこと、温度が(特に低温側に)変化したときでもバッテリの出力がほぼ一定であること、コストが廉価であること、使用されてきた歴史が長く信頼性が高いこと等による。
【００３２】
ソーラーパネル群１８又は２０とバッテリユニット２４又は２６とは、ダイオード４２-1〜４２-3又は４４-1〜４４-2及び充放電コントローラＡ〜Ｅを介して接続される。ダイオード４２-1〜４２-4，４４-1〜４４-2は、各ソーラーパネル１８-1〜１８-4，２０-1〜２０-2の出力端に接続され、夜間、ソーラーパネルが発電していない時にバッテリＡ〜Ｅから電流が逆流するを防止している。充放電コントローラＡ〜Ｅは、バッテリＡ〜Ｅに対して一対一で接続され、ソーラーパネルからバッテリへの過充電を防止し、またバッテリが過放電により電圧低下現象が発生した時は、これを検出してＣＰＵ及びタイマ１２０に対して低電圧検出信号を送る。
【００３３】
具体的には、ソーラーパネル１８-1，１８-2は、ダイオード４２-1，４２-2を夫々介して充放電コントローラＡに接続され、更にバッテリＡに接続される。同様に、ソーラーパネル１８-3，１８-4は、ダイオード４２-3，４２-4を夫々介して充放電コントローラＢに接続され、更にバッテリＢに接続される。同様に、ソーラーパネル１８-5は、ダイオード４２-5を介して充放電コントローラＣに接続され、更にバッテリＣに接続される。
【００３４】
同様に、ソーラーパネル２０-1は、ダイオード４４-1を介して充放電コントローラＤに接続され、更にバッテリＤに接続される。同様に、ソーラーパネル２０-2は、ダイオード４４-2を介して充放電コントローラＥに接続され、更にバッテリＥに接続される。
【００３５】
各充放電コントローラＡ〜Ｅは、対応するバッテリＡ〜Ｅが過充電又は過放電にならないように制御している。過放電によりバッテリの電圧が低下したとき、バッテリからのＤＣ出力を停止して電圧の回復を待つと共に低電圧検出信号I又はIIを、伝送及びシーンレコーダ・ユニット２２に対して発信する。
【００３６】
図２では、バッテリユニット２４，２６が、伝送及びシーンレコーダ・ユニット２２の各要素にＤＣ電源を給電するルートは、太字の線で表示している。
【００３７】
バッテリＡ，バッテリＢ及びバッテリＣからのＤＣ出力は、ダイオード５２-1，５２-2及び５２-3を夫々介して一緒に接続され、第１バッテリユニット２４のＤＣ出力Iなる。バッテリＤ及びバッテリＥからのＤＣ出力は、ダイオード９４-1及び９４-2を夫々介して一緒に接続され、第２バッテリユニット２６のＤＣ出力IIとなる。第１バッテリユニット２４のＤＣ出力I及び第２バッテリユニット２６のＤＣ出力IIは一緒に接続され、電源部からのＤＣ出力１１８として、伝送及びシーンレコーダ・ユニット２２に送られる。
【００３８】
伝送及びシーンレコーダ・ユニット２２は、ＣＰＵ及びタイマ１２０と、このＣＰＵ及びタイマに接続された静止画伝送部１２６と、ＤＣ−ＤＣ安定化手段１２８を介して接続されたＨＤＤレコーダ１４０と、ディップタイマ１３０及びインバータ１３４を介して接続されたカメラコントローラ１４４とを備えている。
【００３９】
ここで、ＣＰＵ及びタイマ１２０は、タイマ機能を有する制御手段であり、主として、撮影に関する時間、頻度等を制御する。例えば、希少猛禽類は１０の活動時間に合わせて、タイマ(図示せず。)を利用して、夜明けに電源を入れ夕方に電源を切って、一日当たり10〜12時間程度を監視時間として、監視カメラを作動させる。更に、電源部から低電圧検出信号を受けた場合、電源部が電圧降下を発生したと判断し、静止画伝送部１２６、カメラコントローラ１４４、カメラユニット１２に対するＤＣ出力を停止する。
【００４０】
静止画伝送部１２６は、例えば、ＰＤＣ(Personal Digital Cellular第二世代携帯電話の通信方式の一つ)を利用した画像伝送部である。
【００４１】
カメラコントローラ１４４は、カメラユニット１２の動作を制御し、カメラユニット１２からの映像データをＨＤＤレコーダ１４０に記録し、カメラユニット１２に対して電力を供給する制御手段である。更に、ＣＰＵ及びタイマ１２０の制御の下、カメラコントローラ１４４は、撮影頻度を、例えば、3枚／秒の割合の静止画像を撮影したり、監視時間の所々に監視停止時間を入れている。このような撮影時間及び頻度に関し、環境アセスメントを実行する委員会で決定された内容に沿ってシステムを制御する。
【００４２】
ディップタイマ１３０は、時間を自由に設定可能な遅延装置であり、最初に電源をオンした時、電源部からのＤＣ出力がシステムの全部の負荷（カメラユニット１２及び伝送及びシーンレコーダ・ユニット２２の各要素等）に一度にかかり、瞬時的な電圧降下を起こすのを防止する。ディップタイマ１３０により、比較的電力消費量の多いカメラコントローラ１４４に対して、他の各要素より一定時間（例えば、30秒間）遅れてＤＣ電源が印加される。なお、実フィールド試験において、ディップタイマ無しでは、この監視カメラシステム１は、約3秒間の電圧降下が確認されている。従って、ディップタイマ１３０に3秒間以上の遅延時間を設定することにより、瞬時的な電圧降下を回避することができる。
【００４３】
伝送及びシーンレコーダ・ユニット２２の映像データに関する動作は、カメラユニット１２から送信された映像データ１４６をカメラコントローラ１４４で処理し、ＨＤＤレコーダ１４０に記録する。所望により、静止画伝送部１２６は、ＨＤＤレコーダ１４０に記録された映像データ１３８を、外部アンテナ１２４から、例えば、携帯電話回線，インターネット回線等（図１の回線２８）を利用して利用者のＰＣ３０に対して送信する。同様に、この送信機能によって、現時点での監視カメラシステム１の稼働状況（各種パラメータ）をＰＣ３０へ送信する。これにより、利用者は、現地に行かなくても、監視カメラシステム１が正常に操作していることを適時確認できる。
【００４４】
伝送及びシーンレコーダ・ユニット２２の電力供給に関する動作は、第１及び第２バッテリユニット２４，２６からのＤＣ出力１１８を、ＣＰＵ及びタイマ１２０は、静止画伝送部１２６に対して電力供給し、ＤＣ−ＤＣ安定化手段１２８により所定の一定電圧にしてＨＤＤレコーダ１４０に対して電力供給し、更に、ディップタイマ１３０により一定時間遅延させた後にインバータ１３４により直流−交流の電力変換してＡＣ出力１３６をカメラコントローラ１４４に対して電力供給する。更に、カメラコントローラ１４４は、この電力の一部をカメラユニット１２に対して電力供給する。
【００４５】
伝送及びシーンレコーダ・ユニット２２の構成機器の保護に関する動作は、ＣＰＵ及びタイマ１２０が、第１及び第２バッテリユニット２４，２６から低電圧検出信号１１６を受けたとき、ＤＣ出力が所定値（ＤＣ）以下となった場合、静止画伝送部１２６、ＨＤＤレコーダ１４０及びカメラコントローラ１４４の動作を停止して、構成機器の保護を行っている。この実施形態の監視カメラでは、電源部の公称ＤＣ出力は12.0Ｖであり、ＤＣ出力１１８がＤＣ電圧11.5Ｖ以下になったとき、静止画伝送部１２６、ＨＤＤレコーダ１４０及びカメラコントローラ１４４の動作を停止している。
【００４６】
第１及び第２バッテリユニット２４，２６と、伝送及びシーンレコーダ２２とは、一緒に、断熱効果の高いクーラーボックスを利用した防寒ユニットケース（図示せず。）に収納されている。同じ防寒ユニットケース内に収納することで、シーンレコーダ２２のＨＤＤからの排熱を利用して、低温に弱い第１及び第２バッテリユニット２４，２６が極端に低温になることを防止している。
【００４７】
2005年2月から3月にかけて、外部最低気温−15.2度Ｃの環境下で実フィールド試験を実行した。最低温度を記録したときの防寒ユニットケースの外部温度と内部温度とは、外部温度-15.2度Ｃに対して内部温度は-2.2度Ｃであり（2月19日記録）、防寒ユニットケースの外部と内部の温度差は13度Ｃであった。また、防寒ユニットケースの外部温度は約＋33度Ｃ〜-15.2度Ｃの間を大きく変動（変動幅48.2度Ｃ）しているのに対して、防寒ユニットケースの内部温度は約＋8度Ｃ〜-4度Ｃの間を変動（変動幅12度Ｃ）しているに過ぎなかった。防寒ユニットケースの採用、発熱部品を同梱包することによる排熱の利用は、最高温度、最低温度及び変動幅に関して、これらを緩和するのに非常に有効であることが実証されている。
【００４８】
［電力供給システム］
図２に示す監視カメラシステム１のブロック図では、伝送及びシーンレコーダ・ユニット２２に対して、第１バッテリユニット２４及び第２バッテリユニット２６の二系列から電源が供給されている。
【００４９】
バッテリの個数に関して、第１バッテリユニット２４は3個のバッテリＡ，Ｂ，Ｃを備え、第２バッテリユニット２６は2個のバッテリＤ，Ｅを備えている。バッテリの容量に関して、バッテリＣとそれ以外のバッテリとは、その容量が異なっている。
【００５０】
バッテリを充電するソーラーパネルの枚数に関して、バッテリＡ，Ｂに対しては各々2枚のソーラーパネルが接続され、バッテリＣ，Ｄ，Ｅに対しては各々1枚のソーラーパネルが接続されている。
【００５１】
このような電力供給システム構成は、次のような理由による。
【００５２】
(1)電力供給を二系列としたのは、信頼性を高めるためである。従って、二系列に限定されず、複数系列であってよい。
【００５３】
(2)各系列のバッテリの個数を変えているのは、全ての系列（バッテリユニット）が同時期に放電してしまわないようにするためである。
【００５４】
(3)容量の異なるバッテリを採用したのは、全てのバッテリが同時期に放電してしまわないようにするためである。容量の異なる、即ち充電特性及び放電特性の異なるバッテリを採用することで、充電時には、或るバッテリは急速に充電され、或るバッテリは時間をかけて充電される。同様に、放電時には、或るバッテリは急速に放電され、或るバッテリは時間をかけて放電される。
【００５５】
従って、充電・放電特性が異なるバッテリを使用することで、或るバッテリが放電してしまっても、他のバッテリがその後も電力供給することができ、監視カメラシステムに対する電力の安定供給ができる。バッテリの容量は2種類に限られない。複数の容量のバッテリを組み合わせたバッテリユニットであってよい。
【００５６】
(4)各バッテリに接続するソーラーパネルの枚数を異ならせたのは、各バッテリ間の充電所要時間を異ならせるためである。各バッテリの充電に要する時間等が異なることにより、或るバッテリが充電途中でであっても、他のバッテリがフル充電されて電力供給することにより、監視カメラシステムに対する電力の安定供給ができる。ソーラーパネルの枚数は1又は2枚に限定されない。必要に応じて、3枚以上のソーラーパネルも使用できる。
【００５７】
(5)上記実施形態では、各バッテリに接続するソーラーパネルは発電容量が同じパネルを使用している。しかし、これに限定されない。必要に応じて、発電容量の異なるソーラーパネルを使用できる。
【００５８】
(6)各バッテリに異なる発電容量のソーラーパネルを接続して充電所要時間等をばらつかせ、更に容量の異なる各バッテリを採用することにより放電可能時間等をばらつかせて、システムに対する電力の安定供給を図っている。更に、ソーラーパネル群とバッテリ群の組み合わせを、所望に応じて複数系統設け、信頼性向上を図っている。
【００５９】
次に、図３Ａ及び図３Ｂを用いて、この電力供給システムを単純なモデルを提示して説明する。ここで、図３Ａは、経過時間が0〜30時間における各バッテリの残存電力状況を示し、図３Ｂは、経過時間が31〜60時間における各バッテリの残存電力状況を示す。
【００６０】
先ず、前提として、この電力供給系統は3系列とし、監視カメラシステム全体の電力消費量は5.87Ａｈとする。従って、この電力消費量を（他の2系列は充電中であって）1系列で負担するときは5.87Ａｈであり、（他の1系列は充電中であって）2系列で負担するときは2.9357Ａｈであり、3系列で負担するときは1.96Ａｈとする。
【００６１】
系Ｉは、容量55Ａｈのバッテリに対して、公称最大出力動作電流3.15Ａのソーラーパネルを2枚接続して充電するモデルである。図２のバッテリＡ又はＢに対応するモデルである。
【００６２】
系IIは、容量55Ａｈのバッテリに対して、公称最大出力動作電流3.15Ａのソーラーパネルを1枚接続して充電するモデルである。図２のバッテリＤ又はＥに対応するモデルである。
【００６３】
系IIIは、容量12Ａｈのバッテリに対して、公称最大出力動作電流3.15Ａのソーラーパネルを1枚接続して充電するモデルである。図２のバッテリＣに対応するモデルである。
【００６４】
なお、比較例として、容量122Ａｈ（＝55＋55＋12）のバッテリに対して、公称最大出力動作電流3.15Ａのソーラーパネルを4枚（＝2＋1＋1）接続して充電するモデルである。系I〜IIIの容量とソーラーパネル枚数を合計したモデルである。
【００６５】
ここで、容量55Ａｈのバッテリのフル充電は55Ａｈとし、放電停止の基準は27.5Ａｈ（即ち、フル充電55Ａｈの50％）と設定する。容量12Ａｈのバッテリのフル充電は12Ａｈとし、放電停止の基準は6.0Ａｈ（即ち、12Ａｈの50％）と設定する。同様に、比較例の容量122Ａｈのバッテリのフル充電は122Ａｈとし、放電停止の基準は61Ａｈと設定する。各バッテリは、当初フル充電されている。各バッテリは、一旦放電停止基準に達すると、フル充電されるまでの期間は充電のみとし、放電は行わないとする。グラフの右には、容量122Ａｈのバッテリのフル充電と放電終了レベル、容量55Ａｈのバッテリのフル充電と放電終了レベル、及び容量12Ａｈのバッテリのフル充電と放電終了レベルを表示する。
【００６６】
系Ｉのバッテリ（容量55Ａｈ）は、ソーラーパネルが最大に発電し、且つ電力消費がゼロの時、単位時間当たり6.3Ａの割合で充電される。従って、バッテリが仮に充電量ゼロであっても、パネルは約9時間でフル充電となる（6.3Ａ×9時間＝56.7Ａｈ＞55Ａｈ）。ソーラーパネルが最大に発電しながら、且つバッテリが放電する時、バッテリは、単位時間当たり（6.3Ａ−上記電力消費量）の割合で充電される。
【００６７】
系IIのバッテリ（容量55Ａｈ）は、ソーラーパネルが最大に発電し、電力消費がゼロの時、単位時間当たり3.15Ａの割合で充電される。従って、バッテリが仮に充電量ゼロであっても、パネルは約18時間でフル充電となる（3.15Ａ×18時間＝56.7Ａｈ＞55Ａｈ）。ソーラーパネルが最大に発電しながら、且つバッテリが放電する時、バッテリは、単位時間当たり（3.15Ａ−上記電力消費量）の割合で充電される。
【００６８】
系IIIのバッテリ（容量12Ａｈ）は、ソーラーパネルが最大に発電し、電力消費がゼロの時、単位時間当たり3.15Ａの割合で充電される。従って、バッテリが仮に充電量ゼロであっても、パネルは約4時間でフル充電となる（3.15Ａ×4時間＝12.6Ａｈ＞12Ａｈ）。ソーラーパネルが最大に発電しながら、且つバッテリが放電する時、バッテリは、単位時間当たり（3.15Ａ−上記電力消費量）の割合で充電される。
【００６９】
同様に、比較例のバッテリ（容量122Ａｈ）は、ソーラーパネルが最大に発電し、電力消費がゼロの時、単位時間当たり12.6Ａ（＝3.15Ａ×４枚）の割合で充電される。従って、バッテリが仮に充電量ゼロであっても、パネルは約10時間でフル充電となる（12.6Ａ×10時間＝126Ａｈ＞122Ａｈ）。ソーラーパネルが最大に発電しながら、且つバッテリが放電する時、バッテリは、単位時間当たり6.73Ａ（＝12.6Ａ−5.87Ａ）の割合で充電される。
【００７０】
天候は、時間と共に変化する。従って、ソーラーパネルが受ける太陽エネルギも時間と共に変化する。これらを簡単にシミュレーションすることは困難である。ここで、合計60時間内に図３Ａ及び図３Ｂの上欄に示すように、「○」は天候が良くてソーラーパネルが最大に発電し、バッテリにフル充電が可能とし、「×」は天候が悪く、バッテリに充電不能とする。
【００７１】
図３Ａ及び図３Ｂは、このような状況を説明するグラフである。横軸は、経過時間を表し、縦軸は、各バッテリの残存電力量（Ａｈ）を表す。
【００７２】
系Iでは、バッテリは、経過時間0〜4時間は放電モードにあり、3系列で負担しているため毎時1.96Ａ消費し、経過時間5〜11時間は2系列で負担しているため毎時2.946Ａ消費し、経過時間11時間に放電停止基準（27.5Ａｈ）に達する。経過時間12〜16時間は充電モードにあり、天候がよいので毎時6.3Ａの割合で充電され、経過時間20時間にフル充電（55Ａｈ）に達し放電モードに切り替わる。図には、このような状況が経過時間60時間まで示されている。系II及び系IIIも同様である。
【００７３】
図の上欄に、系I〜系IIIが放電モードであるか充電モードであるかが示されている。系全体の合計では、「○」は、いずれかの系が放電モードにあり、監視カメラシステムに電力を供給している状況を示している。一方、「×」は、全ての系が充電モードにあり、監視カメラシステムに電力を供給できない状況を示している。
【００７４】
比較例では、バッテリは、経過時間0〜11時間は放電モードにあり毎時5.87Ａ消費し、経過時間0〜11時間で放電停止基準（61Ａｈ）に達し、充電モードに切り替わる。経過時間12〜16時間は毎時12.6Ａの割合で充電され、経過時間16時間でフル充電に達する。経過時間17〜31時間は放電モードにあり、31時間目に放電停止基準に達し、充電モードに切り替わる。充電モードは、経過時間32〜40時間に及ぶ。図には、このような状況が経過時間60時間まで示されている。
【００７５】
図上欄に示された、系全体の放電不能時間と比較例の放電不能時間とを比較する。系全体の放電不能時間は、経過時間で11〜12時間、31〜32時間、36時間、38〜39時間、45〜46時間、50〜51時間、60時間にある。一方、比較例の放電不能時間は、経過時間で12〜16時間、32〜40時間、59〜60時間にある。
【００７６】
両者を比較すると、系全体の放電不能時間の発生回数は比較的多いが、その継続時間は最大で2時間に過ぎない。反対に、比較例の放電不能の発生回数は比較的少ない、その継続時間は最大で9時間に達する。
【００７７】
監視カメラシステムに必要な電力供給システムは、希少猛禽類を定期的に撮影・監視するに際して、長時間にわたる放電不能時間が発生するシステムであってはならない。その観点より、本実施形態で開示するような電力供給システムは、放電不能時間の発生回数は比較的多いが、その継続時間は比較的短く、監視カメラシステム用に適したものと言える。
【００７８】
［その他］
以上により、本発明に係る監視カメラシステムの実施形態について説明したが、本発明はこれに限定されない。この実施形態に関して、当業者が容易になしえる追加・削除・変更・改良等は、本発明の範囲内である。本発明の技術的範囲は、添付の特許請求の範囲の記載によって定められる。
【図面の簡単な説明】
【００７９】
【図１】図１は、監視カメラシステムのイメージを説明する図である。
【図２】図２は、図1の監視カメラシステムの一具体例のブロック図である。
【図３Ａ】図３Ａは、図３Ｂと共に、図２の監視カメラシステムにおける電力供給システムの特徴を説明するグラフである。
【図３Ｂ】図３Ｂは、図３Ａと共に、図２の監視カメラシステムにおける電力供給システムの特徴を説明するグラフである。
【符号の説明】
【００８０】
１：監視カメラシステム、  １０：希少猛禽類、  １２：カメラユニット、  １４：カメラケーブル、  １５：電源及びシーンレコーダ・ユニット、  １６：電源並びに伝送及びシーンレコーダ・ユニット、  １８：第２ソーラーパネル群、  １８-1，１８-2，１８-3，１８-4，１８-5，２０-1，２０-2：ソーラーパネル、２０：第２ソーラーパネル群、  ２２：伝送及びシーンレコーダ・ユニット、  ２４：第１バッテリユニット、  ２６：第２バッテリユニット、  ２８：回線、  ３０：パーソナルコンピュータ，ＰＣ、  ４２-1，４２-2，４２-3，４２-4，４２-5，４４-1，４４-2，５２-1，５２-2，５２-3，９２-1，９２-2，９４-3，９４-2：ダイオード、  １２０：ＣＰＵ及びタイマ、  １２４：外部アンテナ、  １２６：静止画伝送部、  １２８：ＤＣ−ＤＣ安定化手段、  １３０：ディップタイマ、  １３４：インバータ、  １４０：ＨＤＤレコーダ、  １４４：カメラコントローラ、
【図１】
2008103778.tif 000003
【図２】
2008103778.tif 000004
【図３Ａ】
2008103778.tif 000005
【図３Ｂ】
2008103778.tif 000006